(57)【特許請求の範囲】
【請求項１】
ドア本体におけるインナーパネルに設けた開口部を塞ぐベースプレートにドアロック本体を取り付けることにより、前記ドアロック本体を前記ドア本体内部に装着するようにした自動車用ドア構造において、前記ドアロック本体を、前記ベースプレートの後部外周より突出する装着位置と、該装着位置より前記ベースプレートの中央寄りの退避位置とに移動させ得るように、前記ドアロック本体に設けられた係合部を前記ベースプレートに形成された前後方向のスライド孔にスライド可能に嵌合するとともに、前記退避位置に保持させ得るように、前記係合部を前記スライド孔の前部に連設された上向きの係止部に係合可能としたことを特徴とする自動車用ドア構造。
【請求項２】
ドアロック本体の係合部は、スライド孔からベースプレートの表面側に突出し、ドア本体外部から前記スライド孔の係止部に対する係合を解除可能とした請求項１記載の自動車用ドア構造。
【請求項３】
ドアロック本体を、ベースプレートに対して、装着位置に固定する締結部材を設けた請求項１または２記載の自動車用ドア構造。
【発明の詳細な説明】
【０００１】
【発明の属する技術分野】
本発明は、ドアのインナーパネルに固定されるベースプレートにドアロック本体を取り付けた自動車用ドア構造に関する。
【０００２】
【従来の技術】
従来の自動車用ドアにおいては、アウターパネルとインナーパネルからなるドア本体のインナーパネルに開口部を形成し、ドアロック本体と他のドア内機能部品を取り付けたベースプレートを、インナーパネルに取り付けることにより、ドアロック本体と他のドア内機能部品をドアの内部に装着している。（例えば、特開平3−121924号公報参照）
【０００３】
【発明が解決しようとする課題】
しかし、上述した従来の自動車用ドアの構造においては、ドアロック本体は、ドア本体の開放端に装着され、ベースプレートの外周から後方に大きく突出させてベースプレートに取り付けられている。従って、ベースプレートをインナーパネルに装着するとき、ドアロック本体を斜めにしながら、開口部からドア内部に挿入して、ベースプレートをインナーパネルに固定しなければならず、ドアロック本体とドアパネルとが干渉して、互いが損傷するおそれがあり、ベースプレートの取り付け作業に支障を来すことがある。
【０００４】
本発明は、従来の技術が有する上記のような問題点に鑑み、ベースプレートのインナーパネルへの取り付け時に、ドアロック本体とドアパネルとの干渉を防止して、ベースプレートの取り付けを容易に行うことができるようにした、自動車用ドア構造を提供することを目的としている。
【０００５】
【課題を解決するための手段】
本発明によると、上記課題は、次のようにして解決される。
（１）ドア本体におけるインナーパネルに設けた開口部を塞ぐベースプレートにドアロック本体を取り付けることにより、前記ドアロック本体を前記ドア本体内部に装着するようにした自動車用ドア構造において、前記ドアロック本体を、前記ベースプレートの後部外周より突出する装着位置と、該装着位置より前記ベースプレートの中央寄りの退避位置とに移動させ得るように、前記ドアロック本体に設けられた係合部を前記ベースプレートに形成された前後方向のスライド孔にスライド可能に嵌合するとともに、前記退避位置に保持させ得るように、前記係合部を前記スライド孔の前部に連設された上向きの係止部に係合可能とする。
【０００６】
（２）上記(1)項において、ドアロック本体の係合部は、スライド孔からベースプレートの表面側に突出し、ドア本体外部から前記スライド孔の係止部に対する係合を解除可能とする。
【０００７】
（３）上記(1)または(２)項において、ドアロック本体を、ベースプレートに対して、装着位置に固定する締結部材を設ける。
【０００８】
【発明の実施の形態】
以下、本発明の一実施形態を、添付図面を参照して説明する。
図１は、自動車用ドアの組み付け前の全体斜視図で、車体に開閉可能に支持されるドア本体(１)は、互いの周縁を接合したアウターパネル(２)とインナーパネル(３)とからなり、インナーパネル(３)の中央には開口部(４)が形成されている。
【０００９】
ドアロック本体(６)と他のドア内機能部品(図示略)を取り付けたベースプレート(５)は、インナーパネル(３)に複数のボルト(図示略)により固定されて、開口部(４)を閉塞し、かつドアロック本体(６)とドア内機能部品(図示略)をドア(１)内に装着するようになっている。
【００１０】
ドアロック本体(６)は、図１及び図２に示すように、ベースプレート(５)の後端に、スライド機構(７)により前後にスライド可能に取り付けられ、ベースプレート(５)の後部外周より後方に突出する２点鎖線で示す装着位置(Ａ)と、装着位置(Ａ)よりベースプレート(５)の中央寄りに退避した実線で示す退避位置(Ｂ)とに移動しうるようになっている。
【００１１】
なお、ドアロック本体(６)は、ドア本体(１)における取付部(1a)に装着されて、ドア本体(１)を閉鎖位置にロックする従来と同様の構造のものであるので、その詳細な説明は省略する。
【００１２】
スライド機構(７)は、図３に示すように、ドアロック本体(６)より前向きに連設され、前端に鈎型に折曲した係合部(8a)を有する支持体(８)と、ベースプレート(５)の後部に形成され、支持体(８)の係合部(8a)がスライド可能に嵌合して、ドアロック本体(６)を装着位置(Ａ)と退避位置(Ｂ)とに移動可能に支持する横長のスライド孔(９)と、ドアロック本体(６)を装着位置(Ａ)に固定する締結部材(10)とから構成されている。
【００１３】
スライド孔(９)は、係合部(8a)がスライド可能に嵌合する前後方向を向くスライド部(9a)と、スライド部(9a)の前端部に上向きに連設されて、係合部(8a)が係合することにより、ドアロック本体(６)を退避位置(Ｂ)に保持する係止部(9b)とを有している。
【００１４】
係合部(8a)は、ベースプレート(５)の裏面からスライド孔(９)を貫通して表面側に突出している。締結部材(10)は、支持体(8)に穿設された前後方向を向く長孔(8b)及びベースプレート(５)に穿設された丸孔(5a)に挿入されるボルト(10a)と、ボルト(10a)に螺合してベースプレート(５)と支持体(８)とを締結するナット(10b)とにより構成されている。
【００１５】
ドアロック本体(６)が退避位置(Ｂ)にあるとき、図２に示すように、ドアロック本体(６)が自重によりボルト(10a)を支点に下向きに移動すると、係合部(8a)は、逆に上方に持ち上げられて、係止部(9b)に係合する。また、スライド孔(９)からベースプレート(５)の表面側に突出した係合部(8a)を、ドア本体(１)の外部から下方に移動させると、係合部(8a)を、係止部(9b)から離脱させて、装着位置(Ａ)へ移動させることができる。
【００１６】
次に、本発明の一実施形態の取り付け要領について説明する。
ベースプレート(５)をインナーパネル(３)に装着するには、係合部(8a)を係止部(9b)に係合させて、ドアロック本体(６)を図１及び図２に示す退避位置(Ｂ)に保持する。この状態においては、ドアロック本体(６)のベースプレート(５)の後部外周からの突出量を最小限に抑えられている。
【００１７】
ドアロック本体(６)を退避位置(Ｂ)に保持した状態で、ドアロック本体(６)を開口部(４)からドア本体(１)内部に挿入して、ベースプレート(５)をインナーパネル(３)に固定し、開口部(４)を閉塞する。
【００１８】
次いで、ベースプレート(5)の表面側に突出した係合部(8a)を、下方に移動させることにより、係止部(9b)との係合を解除し、ドアロック本体(６)を、矢視方向の装着位置(Ａ)に移動させて、ドア本体(１)の取付部(1a)に合わせ、締結部材(10)により支持部材(８)をベースプレート(５)に固定する。
【００１９】
ドア本体(１)の取付部(1a)に合わされたドアロック本体(６)は、ドア本体(1)外部から、図示しないボルトによりインナーパネル(３)に固定されて、ドア本体(１)内の取付部(1a)に固定される。
【００２０】
本発明は、上述の実施形態に限定されるものではない。例えば、スライド機構(７)を、合成樹脂材料で成形したベースプレートにレール部を一体的に形成し、かつドアロック本体側にレール部にスライド可能に係合するスライダーを設けても、同様な効果を奏することができる。すなわち、ドアロック本体(６)がベースプレート(５)の後部外周から突出した装着位置と、装着位置からベースプレートの中央寄りに退避して突出位置より突出量を少なくした退避位置とに移動可能に、ベースプレート(５)に支持することが重要である。さらに、ベースプレート(６)をドア本体(１)に取り付けるときに、ドアロック本体(６)を退避位置(Ｂ)に保持する簡易的な係合部を設けておくのがよい。
【００２１】
【発明の効果】
本発明によれば、次のような効果を奏することができる。
（ａ）請求項１の発明によると、ドアロック本体をベースプレートからの突出量を最小限に抑えた退避位置に保持した状態で、ベースプレートをインナーパネルを取り付けることができるので、ベースプレートの取り付け作業の向上を図ることができる
【００２２】
（ｂ）請求項２の発明によると、ドアロック本体をインナーパネルに固定した後は、ドア本体外部からドアロック本体を装着位置に移動させることができるので、ドアロック本体の取り付け作業の向上を図ることができる。
【００２３】
（ｃ）請求項３の発明によると、ドアロック本体が締結部材によりベースプレートに固定されるので、ドアロック本体を強固にインナーパネルに固定することができる。
【図面の簡単な説明】
【図１】本発明の一実施形態の自動車用ドアの組み付け前の全体斜視図である。
【図２】同じく要部の拡大斜視図である。
【図３】同じく図２と同一の部分をさらに拡大した分解斜視図である。
【符号の説明】
(１)ドア本体
(1a)取付部
(２)アウターパネル
(３)インナーパネル
(４)開口部
(５)ベースプレート
(６)ドアロック本体
(７)スライド機構
(８)支持体
(8a)係合部
(8b)長孔
(９)スライド孔
(9a)スライド部
(9b)係止部
(10)締結部材
(10a)ボルト
(10b)ナット
【図１】
0003760258.tif 000002
【図２】
0003760258.tif 000003
【図３】
0003760258.tif 000004